(57)【要約】【課題】酒類などの製造時において、１次的調整における貯蔵過程では様々な産業用手段が開発されているが、瓶詰め後における２次的調整貯蔵手段に関して何ら進展を見ておらず、依然として広いスペースや長期の時間を要する自然法において行われている。また、醸造酒のみならず、蒸留酒の焼酎等でも瓶詰後の２次的調整貯蔵の導入に向けての検討が行われており、その需要の高まりに対しても簡単な構成にて産業的使用〜一般にても利用可能な汎用性の高い改質調整手段が望まれている。【解決手段】自転回転装置と、底面に撹拌突起部を有する専用撹拌容器との組み合わせによる遠心力と接触抵抗流との同時双負荷方式とすることでは、密閉・密封容器内成分への連続的最適負荷を可能としてより良好な撹拌改質に働きかけるという効果を発揮することができる。【選択図】図１
2018130713.tif 000002
【特許請求の範囲】
【請求項１】
容器の固定機能を有する回転手段と該回転手段に接続する制御装置を具備する容器回転型の攪拌装置において、容器の固定機能が予め設定された保持開閉サイズ間で任意の調節を可能とするアジャスター部を有し、無段階での固定を図らせるとともに、底面に撹拌突起部を有する専用撹拌容器との組み合わせにより、密閉又は密封容器内成分への効果的な撹拌を図らせ、容器中成分への改質に働きかけることを特徴とする、
密閉・密封容器専用攪拌システム。
【請求項２】
前記回転手段の制御装置が、回転の速度（０〜４００ｒｐｍ）と時間（６０〜３００ｓｅｃ）を制御可能なものであって、自転回転による回転負荷を加えることを特徴とする、
請求項１に記載の密閉・密封容器専用攪拌システム。
【請求項３】
前記固定手段のアジャスター機能が、一般的小型容器の牛乳瓶（φ５５）と一般的大型容器の一升瓶（φ１０５）から割り出された下限５０ｍｍ〜上限１１０ｍｍに設定され、３点支持固定部により容器毎に合わせた無段階での固定を図らせることを特徴とする、
請求項１に記載の密閉・密封容器専用攪拌システム。
【請求項４】
前記３点支持固定部に装着される専用撹拌容器の底面撹拌突起部が、容器内最大直径（φａ）の５０％〜７０％の底面直径（φｂ）と、その底面直径の２０％〜５０％の上面直径（φｃ）と、高さ１５ｍｍ〜６０ｍｍより容器に合わせて選択され、そしてその選択された底面直径と上面直径との中間径（φｄ）を選択高の底面から４０％点（Ｈ１ｈ・Ｈ２ｈ）へ組み込んだ２段式の台形状凸型突起部として容器底面の中心上に設定され、回転容器中の液状体に対して接触抵抗による独自の撹拌流を発生させることを特徴とする、
請求項１に記載の密閉・密封容器専用攪拌システム。
【請求項５】
前記専用撹拌容器が、ガラス・金属・樹脂等の材質の一切を問わず使用可能で、前記回転手段との組み合わせにおいて１−３分程度の短時間にてその改質を図らせることを特徴とする、
請求項１に記載の密閉・密封容器専用攪拌システム。
【請求項６】
前記専用撹拌容器が、垂直方向の軸（２０ａ）に関してほぼ回転対称であることを特徴とする請求項１に記載の密閉・密封容器専用攪拌システム。
【発明の詳細な説明】
【技術分野】
【０００１】本発明は、自転回転の遠心力と撹拌突起部付き容器の接触流との双負荷を利用した、密閉又は密封容器内成分への効果的な撹拌に働きかける方法とそのシステムに関するものである。
【背景技術】
【０００２】飲食に供する酒類は、醸造酒と蒸留酒とを問わず一般的にメーカーにおける製造過程において貯蔵タンク内で一定期間貯蔵して酒質を安定させた後に瓶詰され出荷となるが、醸造酒のワインや日本酒などでは瓶詰め後も更なる安定を図らせる為の再貯蔵がなされ、そして、その環境として、湿度や温度が一定している保管場所が望ましいことから、鍾乳洞・廃線トンネルの中・洞窟・防空壕跡など貯蔵場所にも様々な工夫と多大なスペースが必要とされる事はよく知られている。【０００３】また、蒸留酒の焼酎等でも瓶詰時（出荷時）のアルコール調整（２５度調整）の為の割り水（加水）が行なわれることで折角の貯蔵安定の効果が弱くなってしまうという問題から、近年予め２５度に加水し、瓶詰した上にて貯蔵安定を図らせると言う新たな手法が用いられる様になっており、瓶詰後（密閉後）における安定調整への関心が高まっている。【０００４】このため、貯蔵期間を短縮することが出来れば上述の問題点への解消が計れると伴に、酒類の生産コストを著しく低減することが可能となることから色々な研究が盛んである。（特許文献１・２・３参照）
しかしながら、いずれの方法にしても１次的貯蔵過程での使用が主目的とされていることから、瓶詰後（密封後）の２次的貯蔵への対応等は殆ど成されておらず、交番磁界を容器に印加して調整させる方法が、近年公開の特許文献４に開示されている程度である。（特許文献４参照）
【背景技術文献】
【特許文献】
【０００５】
【特許文献１】特開２００３−２２５０８１  号公報
【特許文献２】特開２００６−２８０３５９  号公報
【特許文献３】特開２００９−２７８９７４  号公報
【特許文献４】特開２００７−３１９１３２  号公報
【０００６】これら上述技術の活用法においては、いずれの方法にしても如何にも専門的であり、特許文献１〜３は産業生産的有利における加工法である。またもう一方の特許文献４では、若干一般への趣きはあるものの、その処理時間が３０〜１２０分と言うことでは、食事に供する場所にての飲食直前での簡単改質としての活用性は乏しい。
【発明の開示】
【発明が解決しようとする課題】
【０００７】酒類などの製造時において、１次的調整における貯蔵過程では様々な産業用手段が開発（特許文献１・２・３参照）されているが、瓶詰め後における調整法及び貯蔵手段に関しては何ら進展を見ておらず、依然として広いスペースや長期の時間を要する自然法において行われている。【０００８】また、焼酎飲用時において本場九州では作った水割りを３日〜１週間寝かして飲む”前割り”と言う風習があり、現在その商品化も盛んとなっている背景に対しても、簡単な構成にて産業的使用〜一般にても利用可能な汎用性の高い改質調整手段が望まれている。【０００９】本発明の目的は以上の問題点を解決し、酒造の瓶詰め後における２次的調整貯蔵〜食事に供する場所にての飲食直前での一般的使用をも可能としうる汎用性の高い簡易改質システムの提供を目的とする。
【課題を解決するための手段】
【００１０】本発明者は、上記の問題点に鑑みてなされたもので、容器の固定機能を有する自転回転手段と底面に撹拌突起部を有する専用撹拌容器との組み合わせにより、密閉又は密封容器内成分への効果的な撹拌を図らせ、容器内成分への改質に働きかけることで味覚が向上するなどの効果を生じることを見出し、本発明を完成するに至った。【００１１】このような目的を達成するための本開発の技術的手段は、対象材料（酒類）入り専用撹拌容器（２０）を自転回転装置（１０Ａ）へ固定装着し得る３点支持固定部（１０ｈ１・１０ｈ２・１０ｈ３）及び、それを支える回転盤（１０ｄ）と、それらを任意の速度に調整させるコントローラー（１０ｃ）とを具え、前記対象材料に対し、自転回転による遠心力と専用撹拌容器との組み合わせによる独自の撹拌を図らせ、密閉又は密封容器内成分への効果的な改質に働きかける構成としたものである。【００１２】上述した本発明の密閉・密封容器専用攪拌システムが、前記対象材料（酒類）への改質に対して遠心力と接触抵抗流との両立を図らせ、双方からの連続的且つ同時負荷による効果的な撹拌を図らせることが好ましい。【００１３】上述した本発明の密閉・密封容器専用攪拌システム（１００）は、前記自転回転装置（１０Ａ）への設置容器が、その対象材料（酒類）毎で多種多様に異なる形態（瓶・ボトル又はカップ等）へも柔軟に合致する事が好ましく、またその材質についても一定の枠に捕らわれず金属・ガラス・樹脂等々への選択を自由とさせることがより一層好ましい。【００１４】上記第１の課題解決手段による作用は次の通りである。
対象材料（酒類）の密閉・密封専用撹拌容器（２０）が自転回転装置（１０Ａ）に固定設置されることで行われる回転負荷改質法において、自転回転装置と、底面に撹拌突起部を有する専用撹拌容器との組み合わせによる遠心と接触抵抗流との双方による同時負荷方式とすることでは、密閉・密封容器内成分への連続的最適双負荷（遠心＋接触抵抗流）を可能としてより良好な撹拌に働きかけるという効果を発揮することができる。【００１５】また、上記第２の課題解決手段による作用は、容器底面の中心上に台形状凸型突起部の設定を可能とするならばその材料の一切を問わず機能し、遠心との同時負荷を可能にすると伴に、容器自体の底面を撹拌体とする事では市販容器との外見上の異差もなく、通常感の保持に働きかけるという効果を発揮することができる。【００１６】本発明において、飲食直前の改質とは、１〜３分程度の処理時間にて、無添加にして簡便かつ衛生的（間接的処理）に前記対象材料（酒類）への撹拌改質の実施を言う。
【発明の効果】
【００１７】本発明の密閉・密封容器専用攪拌システムを用いれば、簡単な操作で瓶詰後の２次的調整貯蔵に代わる改質が可能となる。すなわち、本発明は、特殊な設備を必要とせず、短時間かつ効果的に、密閉又は密封容器内成分の改質に働きかけることから、産業的のみならず一般利用的に極めて有利である。さらに、本発明方法により得られる効果として風味が良好であり、特に飲料として用いるのに有利である。【００１８】また、本発明の密閉・密封容器専用攪拌システムは、特に、近年の焼酎ブームによる蒸留酒での瓶詰２次的調整貯蔵への関心が高まりつつあることや、よりシンプルな構造に付き比較的容易に物作りができることと、またその操作に一切の直接的処理を不要とした間接的処理を利用するので衛生上からも良好に設定され、安全性の面でも問題がないと思われる等より実用化への期待は大きい。
【図面の簡単な説明】
【００１９】
【図１】本発明の実施の組み合わせを示す、自転回転装置と容器（例）との組み合わせ正面（１０Ａ）と、自転回転装置と容器（例）との組み合わせ側面（１０Ｂ）とを示す構成図である。
【図２】図１の自転回転装置（１００）の３点支持固定部用の３点ロッククランプの状態を示す上面構成図（１０Ｃ）と、そのロッククランプの動作を説明する拡大図（１０Ｄ）である。
【図３】底面凸型突起付き撹拌専用容器の全体図（２０）と、その底面凸型突起部の断面形状（２０Ａ・２０Ｂ）を示す構成図である。
【発明を実施するための形態】
【００２０】以上のような効果を奏することができる密閉・密封容器専用攪拌システム（１００）は、図１の組み合わせ構成図に示すように、モーターを駆動源とする自転回転装置（１０Ａ）と底面に撹拌突起部を有する専用撹拌容器（２０）との２系統の組み合わせによる構成を具えたものである。
【００２１】以下、本発明の実施の形態の密閉・密封容器専用攪拌システムにつき、図１〜図３を用いて詳細に説明する。
【００２２】図１は本発明の実施例を示す密閉・密封容器専用攪拌システムの全体構成図、図２はロッククランプ部の状態図、図３は底面に撹拌突起部を有する専用撹拌容器の詳細な構成を示す模式図である。
【００２３】これらの図１において、１００は密閉・密封容器専用攪拌システム、１０Ａは自転回転装置に底面凸型突起付き撹拌専用容器（例）を装着した正面状態を、１０８は自転回転装置に底面凸型突起付き撹拌専用容器を装着した側面状態を示す。
【００２４】図２においては、１０Ｃは自転回転装置を上から見た全貌図で、１０ｄは回転盤を示し、１０ｇ１・１０ｇ２・１０ｇ３はロック用クランプＮｏ１〜Ｎｏ３を、１０Ｄは前記ロック用クランプＮｏ１〜Ｎｏ３の拡大図を、Ｃ１はロックＯＮを、Ｃ２はロックＯＦＦを示す。
【００２５】図３においては、その一方の底面凸型突起付き撹拌専用容器の構成から、２０は容器の全容側面と、２０Ａ・２０Ｂは底面凸型突起部の低ｓｉｚｅと高ｓｉｚｅの側面であり、２０Ａは回転対称軸を、Ｈ１・Ｈ２は下限ｓｉｚｅと上限ｓｉｚｅを、Ｈ１ｈ・Ｈ２ｈはそれぞれの底面から４０％点を、φａは容器内底面最大直経部を、φｂは前記φａの５０％〜７０％の底面直径を、φｃは前記φｂの２０％〜５０％の底面直径を、φｄは前記φａとφｂとで選択された底面直径と上面直径との中間直径を、示す。
【００２６】このような機能を有する密閉・密封容器専用攪拌システムの使用方法について、図１〜３を参照して説明する。
【００２７】ます、目的とする対象材料（酒類）の容器ｓｉｚｅに合わせて３点支持固定部用開閉クランプの１０ｈ１０・１０ｈ２０・１０ｈ３０を操作して３点支持固定部１０ｈ１・１０ｈ２・１０ｈ３を開き、図１の１０Ａ又は１０Ｂ状に容器（例）１０ｉを固転盤１０ｄに組み付け、ロック用クランプ１０ｇ１・１０ｇ２・１０ｇ３によって固定しセット完了とする。
【００２８】次に、回転コントローラー部１０ｃとタイマーｓｗｉｔｃｈの１０ｆによって対象材料に合わせた最適な回転数及び回転負荷時間を設定してスタンバイとする。
【００２９】そして、スタートｓｗｉｔｃｈの１０ａのＯＮにて回転改質操作を開始させる。
【００３０】なお、上記、図に説明の密閉・密封容器専用攪拌システムおける自転回転装置反び底面凸型突起付き撹拌専用容器に付いては、これらに限定することなく、目的に合わせて様々な形状及びサイズへの変更が図れる。
【００３１】本発明は、上記実施例に限定されるものではなく、本発明の趣旨に基づいて種々の変形および付加が可能であり、これらを本発明の範囲から排除するものではない。
【符号の説明】
【００３２】１００      密閉・密封容器専用攪拌システム
１０Ａ      自転回転装置（正面）
１０Ｂ      自転回転装置（即面）
１０Ｃ      自転回転装置（上面）
１０Ｄ      ロック用クランプ（拡大）
１０ａ      スタート  ｓｗｉｔｃｈ
１０ｂ      ストップ  ｓｗｉｔｃｈ
１０ｃ      回転コントローラー部
１０ｄ      回転盤
１０ｅ      電源ＯＮ・ＯＦＦ  ｓｗｉｔｃｈ
１０ｆ      タイマー  ｓｗｉｔｃｈ
１０ｇ１    ロック用クランプＮｏ１
１０ｇ２    ロック用クランプＮｏ２
１０ｇ３    ロック用クランプＮｏ３
１０ｈ１    ３点支持固定部Ｎｏ１
１０ｈ２    ３点支持固定部Ｎｏ２
１０ｈ３    ３点支持固定部Ｎｏ３
１０ｈ１０  ３点支持固定部Ｎｏ１用開閉クランプ
１０ｈ２０  ３点支持固定部Ｎｏ２用開閉クランプ
１０ｈ３０  ３点支持固定部Ｎｏ３用開閉クランプ
１０ｉ      容器（例）
Ｃ１        ロック用クランプＯＮ
Ｃ２        ロック用クランプＯｆｆ
２０        底面凸型突起付き攪拌専用容器全体
２０ａ      回転対称軸
２０Ａ      底面凸型突起部の下限ｓｉｚｅ
２０Ｂ      底面凸型突起部の上限ｓｉｚｅ
Ｈ１        高さの下限ｓｉｚｅ
Ｈ１ｈ      底面から４０％点
Ｈ２        高さの上限ｓｉｚｅ
Ｈ２ｈ      底面から４０％点
φａ        容器内底面最大直経
φｂ        φａの５０％〜７０％の底面直径
φｃ        φｂの２０％〜５０％の底面直径
φｄ        φａとφｂとで選択された底面直径と上面直径との中間直径
【図１】
2018130713.tif 000003
【図２】
2018130713.tif 000004
【図３】
2018130713.tif 000005